(57)【要約】【課題】この発明は、円板体案内通路の清掃等の保守点検作業性を一層向上させるとともに、円板体の選別精度を一層向上させるようにした円板体選別装置を提供する。    【解決手段】ゲートプレート３が軸８を中心に所定の回転角度に至る間は前記ゲートプレート３に対し前記メインプレート２を閉塞する方向へ付勢力を作用させ、前記ゲートプレート３が前記所定の回転角度以上回転すると前記ゲートプレート３に対し前記メインプレート２を開放する方向へ付勢力を作用させるゲートプレート付勢手段を複数箇所配設するようにした。  【選択図】  図２
2007257167.tif 000002
【特許請求の範囲】
【請求項１】
メインプレートと、軸を中心に回動自在に支承され、前記メインプレートを開閉自在に覆うゲートプレートとを有する円板体選別装置において、
前記ゲートプレートが前記軸を中心に所定の回転角度に至る間は前記ゲートプレートに対し前記メインプレートを閉塞する方向へ付勢力を作用させ、前記ゲートプレートが前記所定の回転角度以上回転すると前記ゲートプレートに対し前記メインプレートを拡開する方向へ付勢力を作用させるゲートプレート付勢手段を複数箇所配設するようにしたことを特徴とする円板体選別装置。
【請求項２】
前記ゲートプレート付勢手段は、前記ゲートプレートと前記メインプレートとに係合する引張バネからなり、前記ゲートプレートを回動自在に支承する軸は、前記メインプレートを前記ゲートプレートで覆った際に、前記ゲートプレートとメインプレートとに係合する前記引張バネの引張方向線から外れた位置にあることを特徴とする請求項１に記載の円板体選別装置。
【請求項３】
前記ゲートプレート付勢手段は前記ゲートプレートの上下縁に２箇所配設されていることを特徴とする請求項１または請求項２に記載の円板体選別装置。
【発明の詳細な説明】
【技術分野】
【０００１】
この発明は、硬貨、代用硬貨（トークン）、あるいは遊戯用メダル等の円板体の真偽を判別し、それを選別する円板体選別装置の改良に関する。
【背景技術】
【０００２】
従来から、スロットマシーン等の遊技機には、円板体投入口から投入された円板体（硬貨、あるいは遊技用メダル等）の真偽を判別し、真円板体と見なされた円板体を収容するとともに、偽円板体と見なされた円板体を排除するようにした円板体選別装置 が配設されている。
【０００３】
この円板体選別装置には、投入された円板体の真偽を判別するための円板体判別手段と、この円板体判別手段へ投入円板体を案内する円板体案内通路が配設されている。
【０００４】
なお、上述した円板体判別手段は、主に円板体選別装置の主要構成要素であるメインプレートに配設され、さらに、この円板体判別手段へ投入円板体を案内する円板体案内通路は、上述したメインプレートの側壁と、この側壁を覆うゲートプレートの側壁とにより構成され、保守点検時にはゲートプレートをメインプレートに対して拡開して円板体判別手段および円板体案内通路を開放するようにしている。
【０００５】
一方、従来では、上述したゲートプレートは、例えば本願出願人が先に提出した特開２００１−１５５２０６号に記載されているように、当該ゲートプレートを回動自在に支承する軸に嵌挿した特殊バネ（異形ダブルトーションスプリング）の付勢力により、常時メインプレートの表面を閉塞するように付勢されている。
【特許文献１】特開２００１−１５５２０６号
【発明の開示】
【発明が解決しようとする課題】
【０００６】
ところで、円板体選別装置では、オペレータが上述した円板体案内通路を開放し、その清掃等の保守点検作業を行う際には、メインプレートに対してゲートプレートを拡開状態に維持することが必要である。
【０００７】
しかしながら、従来のゲートプレートは上述したように特殊バネ（異形ダブルトーションスプリング）により常時メインプレートの表面を閉塞するように付勢されているので、ゲートプレートの拡開を維持するためには、オペレータはゲートプレートが閉まらないよう特殊バネの付勢力に抗して支えなければならず、このため清掃作業が煩雑で、保守点検作業性に劣る難点があった。
【０００８】
また、従来の特殊バネ（異形ダブルトーションスプリング）を使用したものでは、この特殊バネの付勢力が、ゲートプレートを支承する軸を当該軸を支承する軸受に対して常時均等に押し付けるものではないから、ゲートプレートを開閉すると、軸と軸受との間の公差の範囲内でメインプレートに対するゲートプレートの位置決め精度が低下し、このためメインプレートとゲートプレートとの間に形成された円板体案内通路の形成精度を低下させて円板体選別装置の選別精度を著しく低下させる要因となっていた。
【０００９】
また従来の付勢手段（異形ダブルトーションスプリング）の場合、組立が煩雑であり、また特殊構造であるからコストアップの要因となる。さらにメインプレートとゲートプレートとの係合を一箇所で行なう場合、位置を規制するためにゲートを分割する等機構が複雑となることからコストアップの要因となっていた。
【００１０】
この発明は、上述した事情に鑑み、円板体案内通路の清掃等の保守点検作業性を一層向上させるとともに、円板体の選別精度を一層向上させるようにした円板体選別装置を提供することを目的とする。
【課題を解決するための手段】
【００１１】
上述した課題を解決するため、この発明では、メインプレートと、軸を中心に回動自在に支承され、前記メインプレートを開閉自在に覆うゲートプレートとを有する円板体選別装置において、前記ゲートプレートが前記軸を中心に所定の回転角度に至る間は前記ゲートプレートに対し前記メインプレートを閉塞する方向へ付勢力を作用させ、前記ゲートプレートが前記所定の回転角度以上回転すると前記ゲートプレートに対し前記メインプレートを拡開する方向へ付勢力を作用させるゲートプレート付勢手段を複数箇所配設するようにしている。
【発明の効果】
【００１２】
上述した、ゲートプレート付勢手段によると、ゲートプレートが軸を中心に所定の回転角度に至る間はゲートプレートに対しメインプレートを閉塞する方向へ付勢力が作用し、またゲートプレートが所定の回転角度以上回転するとゲートプレートに対しメインプレートを開放する方向へ付勢力が作用するから、ゲートプレートの回転角が軸を中心に所定の回転角度に至る間はゲートプレートにメインプレートを覆う付勢力が常時作用するので、円板体選別装置の使用時にはメインプレートをゲートプレートが確実に覆って、その機能を確実に維持するとともに、メインプレートとゲートプレートとの間を開放する保守点検時にゲートプレートを所定の回転角度以上に拡開すると、ゲートプレート付勢手段はゲートプレートに対しメインプレートを開放する方向へ付勢力を作用させるから、オペレータはゲートプレートを支える作業を行う必要がなくなり、このため保守点検作業の作業性を著しく向上させることができる。
【００１３】
また、この発明では、上述したゲートプレート付勢手段を複数箇所配設したので、ゲートプレートを支承する軸と、これを支承する軸受とを常時均等な圧力で密着させることが出来、このためメインプレートに対するゲートプレートの位置決め精度が著しく向上し、メインプレートとゲートプレートとの間に形成された円板体案内通路の形成精度を向上させて円板体の選別精度を一層向上させ、また組立が容易となるとともに、製造コストの低減を図った円板体選別装置を提供することができる。
【発明を実施するための最良の形態】
【００１４】
以下、この発明に係わる円板体選別装置を詳述する。
【００１５】
図１は、この発明に係る円板体選別装置１の概念正面図である。
【００１６】
この円板体選別装置１は、プラスチック等の合成樹脂等で形成された矩形状のメインプレート２と、このメインプレート２の略上方を開閉自在に覆うこれもプラスチック等の合成樹脂等で形成されたゲートプレート３とから構成されている。
【００１７】
このゲートプレート３には、その表面４の右側方に三つの軸受５，６，７が形成され、この軸受５，６，７内には軸８が嵌挿している。
【００１８】
なおこの軸８は、ゲートプレート３をメインプレート２に対して回動自在に支承する。その軸８の上端８ａがメインプレート２に、下端８ｂがゲートプレート３に形成され、それぞれ一端が閉塞された断面半月状の軸受９，７内に回動自在に嵌挿している。  また軸８の中間部もメインプレート２に形成された断面半月状の軸受１１に嵌挿している。
【００１９】
また、ゲートプレート３の上下の位置をメインプレート２の軸受９，１１及び、ゲートプレート３の軸受５，６により規制している。
【００２０】
そして、上述したゲートプレート３の上縁１２と、メインプレート２の上方１３との間、およびゲートプレート３の下縁１４と、メインプレート２の下方１５との間には、本願発明に係る、ゲートプレート３の回転位置に応じて当該ゲートプレート３に対する付勢力の方向が変化するゲートプレート付勢手段２０がそれぞれ配設されている。なお、このゲートプレート位置決め付勢手段２０については後に詳述する。
【００２１】
図２は、ゲートプレート３を拡開してメインプレート２を拡開した状態を示す斜視図で、ゲートプレート３には、円板体案内通路Ａの下面を構成する一本の傾斜転送レール３０が配設され、またこの傾斜転送レール３０に沿って円板体を径選別する切り欠３１が形成されている。またこのゲートプレート３には、円板体投入口３２内に投入された円板体に当接し、その落下速度を調整するクレードル３３が配設されている。
【００２２】
一方、メインプレート２には、円板体投入口３２内に投入された円板体を円板体案内通路Ａの上流に案内する円板体案内通路Ｂの下流端には、投入された円板体をゲートプレート３の前記切り欠３１側へ傾斜させる円板体押付けレバー３４が揺動自在に支承され、さらに円板体案内通路Ａの略中流には投入円板体の通過とその通過阻止を図る円板体規制手段３５が配設されている。また、円板体案内通路Ａの下流には円板体の通過枚数を検出する円板体検出センサ３６等が配設されている。
【００２３】
次に上述したゲートプレート付勢手段２０を詳述する。
【００２４】
図３は、上述した円板体選別装置１の要部破断拡大上面図で、特に上述したゲートプレート付勢手段２０（以下単に付勢手段と言う）を詳細に示したものである。
【００２５】
図３に示すように、付勢手段２０はゲートプレート３の上縁１２に突設された突起２１と、メインプレート２の上部１３に突設された切り欠２２とに係合して張設された一本の引張バネ２３から構成されている。なおこの引張バネ２３は、実施例ではコイルバネ２４により構成され、その先端部でゲートプレート３の突起２１に係合するフック部２４ａはゲートプレート３の上縁１２を通過するように比較的長く形成され、これによりコイルバネ２４のコイル部２４ｂがゲートプレート３の上縁１２と接触してその引張作用に支障を起さないようにしている。
【００２６】
一方、上述した一本の引張バネ２３と、ゲートプレート３を支承する軸８、およびゲートプレート３の上縁１２に突設された突起２１とメインプレート２の上部１３に突設された切り欠２２との相対的位置関係は、ゲートプレート３によるメインプレート２の閉塞位置では、ゲートプレート３に対し、当該ゲートプレート３を支承する軸８を中心に反時計方向への力が作用するように設定されている。
【００２７】
より具体的には、引張バネ２３の引張力Ｆの分力Ｆ１の作用方向が軸８とゲートプレート３の上縁１２に突設された突起２１とを結ぶ線分Ｌに対して反時計方向へ作用するように設定されている。このように軸８、突起２１、切り欠２２の相対的位置関係を設定すると引張バネ２３の分力Ｆ１により、図３の位置ではゲートプレート３はメインプレート２を常時閉塞するように付勢されることとなる。
【００２８】
一方、上述した、引張バネ２３の分力Ｆ１によるゲートプレート３の付勢力に抗し、保守点検時にオペレータが軸８を中心に矢印Ｄのようにゲートプレート３を回転させてメインプレート２を拡開すると、図４で示すように、所定の回転角度、即ち実施例では約９０度の拡開位置付近でゲートプレート３に対する軸８を中心とした引張バネ２３の分力の方向が変化するように設定されている。
【００２９】
これを詳細に説明すると、図４に示すゲートプレート３の拡開位置では、ゲートプレート３に対し当該ゲートプレート３を支承する軸８を中心に時計方向への力が作用する。より具体的に説明すると、引張バネ２３の引張力Ｆの分力Ｆ２の作用方向が軸８とゲートプレート３の上縁１２に突設された突起２１とを結ぶ線分Ｌに対して時計方向へ作用する。このように引張バネ２３の分力Ｆ２により、ゲートプレート３は軸８を中心にメインプレート２を常時拡開する方向へ付勢されると、ゲートプレート３はメインプレート２に突設されたストッパー４０と当接してその回転を停止し、その位置に位置決め停止されることとなる。
【００３０】
なお、上述した相対的位置関係は、要は図３で示すように、メインプレート２をゲートプレート３で覆った際に、ゲートプレート３を回動自在に支承する軸８がゲートプレート３とメインプレート２とに係合する前記引張バネ２３の引張方向線から外れた位置にあることである。なお上記実施例では引張バネ２３をコイルバネ２４により構成したが、この発明は上記実施例に限定されることなく、例えばゴム等の引張バネ２３でも良い。
【００３１】
従って、図４に示すように、上述した付勢手段２０によると、メインプレート２とゲートプレート３との間を拡開する保守点検時にゲートプレート３を所定の回転角度位置に拡開すると、ゲートプレート付勢手段２０はゲートプレート３に対しメインプレート２を開放する方向へ常時付勢力を作用させるから、オペレータはゲートプレート３を支える作業を行う必要がなくなり、このため保守点検作業の作業性が著しく向上することとなる。
【００３２】
なお、上記実施例では、ゲートプレート３の上下縁１２，１４にそれぞれゲートプレート付勢手段２０を配設して、ゲートプレート３を支承する軸８と、これを支承する各軸受５，６，７，９，１０とを常時均等な圧力で密着させるようにしているから、メインプレート２に対するゲートプレート３の位置決め精度が著しく向上し、このため、メインプレート２とゲートプレート３との間に形成された円板体案内通路Ａの形成精度を向上させて円板体の選別精度の一層高い円板体選別装置を提供することができることとなる。
【００３３】
なお、上記実施例では、上述したゲートプレート付勢手段２０をゲートプレート３の上下縁１２，１４の二箇所に配設するようにしたが、この発明は上記実施例に限定されることなく、ゲートプレート３の上下縁１２，１４の他に、この上下縁１２，１４間の中間部分にもう一箇所、さらにはゲートプレート３の上下縁１２，１４間に３箇所以上設けてもよく、その配設箇所の数は限定されないことは言うまでもない。
【産業上の利用可能性】
【００３４】
この発明は、円板体案内通路の清掃等の保守点検作業性を一層向上させるとともに、円板体の選別精度を一層向上させるようにした円板体選別装置に適している。    
【図面の簡単な説明】
【００３５】
【図１】図１はこの発明に係る円板体選別装置の正面図。
【図２】図２はゲートプレートを拡開した状態を示す円板体選別装置の斜視図。
【図３】図３はこの発明な係る円板体選別装置の作用を示す要部破断拡大上面図。
【図４】図４はこの発明に係る円板体選別装置の作用を示す要部破断拡大上面図。
【符号の説明】
【００３６】
１…円板体選別装置
２…メインプレート
３…ゲートプレート
８…軸
１２…上縁
１４…下縁
２０…ゲートプレート付勢手段
２３…引張バネ
【図１】
2007257167.tif 000003
【図２】
2007257167.tif 000004
【図３】
2007257167.tif 000005
【図４】
2007257167.tif 000006